(57)【要約】【課題】充分な量の防火材を軒元側に容易に配置することが可能な軒天材の支持金具を提供する。【解決手段】軒天材２１の軒元側端部２１ａを支持するとともに外壁側に固定される軒天材の支持金具３である。  そして、外壁側の上端面に載せられて接合させる固定片部３４と、固定片部の軒先側の縁部から下方に突出される見切縁部３５と、前記見切縁部に隣接して形成されるとともに前記軒元側端部を挿し込む凹部を有する軒天材取付部３６と、見切縁部及び軒天材取付部の上方に形成される防火材設置部３７と、防火材設置部に層状に配置されるロックウール層４とを備えている。【選択図】図２
2015090024.tif 000002
【特許請求の範囲】
【請求項１】
軒天材の軒元側端部を支持するとともに外壁側に固定される軒天材の支持金具であって、
前記外壁側の上端面に載せられて接合させる固定片部と、
前記固定片部の軒先側の縁部から下方に突出される見切縁部と、
前記見切縁部に隣接して形成されるとともに前記軒元側端部を挿し込む凹部を有する軒天材取付部と、
前記見切縁部及び軒天材取付部の上方に形成される防火材設置部と、
前記防火材設置部に層状に配置される防火材とを備えたことを特徴とする軒天材の支持金具。
【請求項２】
前記防火材は、耐火接着剤を介して前記防火材設置部に固定されることを特徴とする請求項１に記載の軒天材の支持金具。
【請求項３】
前記防火材は、無機材であることを特徴とする請求項１又は２に記載の軒天材の支持金具。
【請求項４】
前記固定片部から上方に向けて壁状に形成されるとともに、前記防火材の端面に接触させる軒元遮蔽板を備えたことを特徴とする請求項１に記載の軒天材の支持金具。
【請求項５】
請求項１乃至４のいずれか一項に記載の軒天材の支持金具が取り付けられたことを特徴とする防火構造。
【請求項６】
請求項５に記載の防火構造が設けられたことを特徴とする建物。
【発明の詳細な説明】
【技術分野】
【０００１】
本発明は、軒天材の軒元側端部を支持するとともに外壁側に固定される軒天材の支持金具、並びにそれを使用した防火構造及び建物に関するものである。
【背景技術】
【０００２】
屋根の軒先に軒天材が配置される建物において、軒天材の脱落を防止したり防火性能を向上させたりする構造が知られている(特許文献１−４参照)。特許文献１には、軒天材の軒元側端部が挿し込める支持金具が開示されている。
【０００３】
この特許文献１の支持金具の凹部には、テープ状の熱発泡材が水平方向に膨張できるように取り付けられている。また、特許文献２にも同様に、軒天材の保持部と水平方向に膨張可能なように取り付けられるテープ状の熱発泡材とを備えた支持金具が開示されている。
【０００４】
一方、特許文献３には、熱によって膨張する帯状の不燃性体積膨張材が取り付けられた軒天材の軒先側の支持構造が開示されている。この不燃性体積膨張材は、火災の熱によって軒先の支持金具の中空部内に広がるようになっている。また、特許文献４には、軒天材の上面に断熱材が敷設された軒天防火構造が開示されている。
【先行技術文献】
【特許文献】
【０００５】
【特許文献１】特開２００９−１８５５６５号公報
【特許文献２】特開２０１０−４３４６２号公報
【特許文献３】特開２００８−１５０８０８号公報
【特許文献４】特開２００９−２９９４１０号公報
【発明の概要】
【発明が解決しようとする課題】
【０００６】
しかしながら特許文献１−４に開示された防火構造では、軒元側に配置される防火材の量が充分なものとは言えない。また、現場での施工工程が多い構成では、施工手間がかかるうえに高品質を維持するのが難しくなる。
【０００７】
そこで、本発明は、充分な量の防火材を軒元側に容易に配置することが可能な軒天材の支持金具、並びにそれを使用した防火構造及び建物を提供することを目的としている。
【課題を解決するための手段】
【０００８】
前記目的を達成するために、本発明の軒天材の支持金具は、軒天材の軒元側端部を支持するとともに外壁側に固定される軒天材の支持金具であって、前記外壁側の上端面に載せられて接合させる固定片部と、前記固定片部の軒先側の縁部から下方に突出される見切縁部と、見切縁部に隣接して形成されるとともに軒元側端部を挿し込む凹部を有する軒天材取付部と、前記見切縁部及び軒天材取付部の上方に形成される防火材設置部と、前記防火材設置部に層状に配置される防火材とを備えたことを特徴とする。
【０００９】
ここで、前記防火材は、耐火接着剤を介して前記防火材設置部に固定される構成とすることができる。また、前記防火材は、無機材によって形成するのが好ましい。
【００１０】
さらに、前記固定片部から上方に向けて壁状に形成されるとともに、前記防火材の端面に接触させる軒元遮蔽板を備えた構成とすることもできる。
【００１１】
そして、本発明の防火構造は、上記いずれかの軒天材の支持金具が取り付けられたことを特徴とする。また、本発明の建物は、前記防火構造が設けられたことを特徴とする。
【発明の効果】
【００１２】
このように構成された本発明の軒天材の支持金具は、軒天材の軒元側端部を挿し込む軒天材取付部を有するとともに、層状に防火材を配置することが可能な防火材設置部を備えている。
【００１３】
このため、軒元側の防火性能を確保するために充分な量の防火材を、容易に配置することができる。また、防火材の配置と併せて軒天材の取り付けも容易に行うことができるようになる。
【００１４】
さらに、耐火接着剤を介して防火材を防火材設置部に固定させる構成であれば、防火材を支持金具に容易に固定することができる。このような防火材は、ロックウールなどの無機材によって形成することができる。
【００１５】
また、外壁側の上端面に載せられて接合させる支持金具の固定片部から上方に向けて壁状の軒元遮蔽板を配置することによって、より防火性能を向上させることができる。
【００１６】
そして、上記したような本発明の軒天材の支持金具を使用することによって、防火構造及びそれを備えた建物を容易に構築することができる。
【図面の簡単な説明】
【００１７】
【図１】実施例１の防火構造及びそれが設けられた建物の構成を示した説明図である。
【図２】実施例１の支持金具の構成を説明する断面図である。
【図３】支持金具の取付工程を説明する斜視図である。
【図４】実施例２の防火構造の構成を示した説明図である。
【図５】実施例２の支持金具の構成を説明する断面図である。
【図６】実施例３の防火構造の構成を示した説明図である。
【図７】実施例４の防火構造の構成を示した説明図である。
【図８】実施例５の防火構造及びそれが設けられた建物の構成を示した説明図である。
【図９】実施例５の防火構造の構成を示した説明図である。
【図１０】実施例６の防火構造の構成を示した説明図である。
【発明を実施するための形態】
【００１８】
以下、本発明の実施の形態について図面を参照して説明する。まず、図１を使って本実施の形態の軒天材の支持金具及び防火構造が適用される建物１について説明する。
【００１９】
この建物１では、屋根２の張り出した軒先の下面が軒天材２１によって覆われている。この軒天材２１は、例えば繊維混入けい酸カルシウム板によって形成される。
【００２０】
以下では、屋根材２２が傾斜した傾斜屋根を例に説明するが、これに限定されるものではない。屋根材２２は、垂木２３によって支持されており、垂木２３は母屋２７によって支持される。
【００２１】
また、垂木２３の先端は鼻隠し部２４によって覆われ、鼻隠し部２４の下面は見切材２５で覆われる。この見切材２５に隣接した垂木２３の下面側には軒天吊木桟２６が配置される。この軒天吊木桟２６は、固定金具２６ａを介して鼻隠し部２４に取り付けられる。
【００２２】
軒天材２１は、軒先側端部２１ｂが軒天吊木桟２６に接合され、軒元側端部２１ａが後述する様々な支持金具３，３Ａ，５，５Ａによって支持される。また、軒天材２１は、外壁１１と隅角部を形成する。
【００２３】
外壁１１の屋内側には、天井梁や屋根梁などの梁材１２が配置されている。以下では、断面視コ字状のＣ形鋼によって形成される梁材１２を使って説明するが、これに限定されるものではない。
【００２４】
そして、軒天材２１と外壁１１とによって形成される隅角部に、本実施の形態の防火構造が形成される。以下では、その防火構造の詳細について、実施例によって説明する。
【実施例１】
【００２５】
以下、実施例１では、図１−図３を参照しながら、実施例１の支持金具３及びそれが配置された防火構造について説明する。なお、前記実施の形態で説明した内容と同一乃至均等な部分の説明については、同一用語又は同一符号を付して説明する。
【００２６】
この実施例１の外壁１１は、タイル外壁やシンセライト外壁などの壁材である。このような外壁１１は、図１に示すように、例えば繊維混入けい酸カルシウム板の表面にタイルを貼り付けることによって製作される。また、外壁１１の屋内側の上縁には、角形鋼管などの枠材１１１が水平方向（図１では紙面奥行き方向）に向けて取り付けられる。
【００２７】
図２には、支持金具３の詳細な構成を示した。この支持金具３は、下部金具３１と上部金具３２とを、リベット３３によって接合することによって形成される。下部金具３１及び上部金具３２は、鋼板などの耐火性の板材を折り曲げ加工することによって成形される。
【００２８】
この下部金具３１及び上部金具３２は、図３に示すように長尺状に成形されている。すなわち支持金具３は、外壁１１の上端面に沿って連続して配置される。ここで、外壁１１の上端面には、ブチルゴムなどの防水テープ１１２が貼り付けられている。
【００２９】
支持金具３は、図２に示すように、外壁１１側の上端面に載せられて接合させる固定片部３４と、固定片部３４の軒先側の縁部から外壁１１に沿って下方に突出される見切縁部３５と、見切縁部３５に隣接して形成される軒天材取付部３６と、防火材設置部３７とによって主に構成される。ここでは、防火材設置部３７に配置される防火材としてのロックウール層４を含めて支持金具３とする。
【００３０】
固定片部３４は、図３に示すように外壁１１の上端面に貼られた防水テープ１１２の上に被せられる部分を指す。固定片部３４の屋内側の縁部には、枠材１１１の屋内面に沿って垂下させる垂下壁３４１が設けられる。
【００３１】
一方、固定片部３４に連続して形成される見切縁部３５は、図２に示すように下方から帯状の平面に見えるように下面が平らに形成される。また、固定片部３４から見切縁部３５に移行するＬ字形断面部分が、軒元側端部２１ａを挿し込む凹部の下半分を形成することになる。
【００３２】
これに対して軒元側端部２１ａを挿し込む凹部の上半分は、上部金具３２の軒先側に張り出された傾斜面によって形成される。この凹部の上面及び下面は、軒元側端部２１ａの上面及び下面の形状に合わせて成形される。要するに実施例１の支持金具３では、下部金具３１と上部金具３２とによって軒天材取付部３６の凹部が形成される。
【００３３】
そして、見切縁部３５及び軒天材取付部３６の上方となる上部金具３２の上面側が、防火材設置部３７となる。防火材設置部３７の軒先側には、鉛直に立ち上げられた前壁部３７１が形成される。
【００３４】
この前壁部３７１の高さは、図１に示すように上端が梁材１２の上端面の高さ以上になる位置まで形成される。他方、前壁部３７１と略平行となるように屋内側（軒元側）に立上り部３７２が形成される。
【００３５】
この立上り部３７２は、図２に示すように固定片部３４から上方に向けて壁状に形成される。立上り部３７２は、ロックウール層４の上面よりも高く形成され、上縁からは軒先側に向けて庇部３７３が張り出される。
【００３６】
この立上り部３７２と前壁部３７１とに挟まれた上部金具３２の上面側の窪みには、耐火接着剤によって接着層４１が形成される。耐火接着剤には、例えばけい酸ナトリウム系接着剤などの湿式目地処理材が使用できる。
【００３７】
この接着層４１の上面は、前壁部３７１の上端の高さで水平面となるように形成される。そして、その接着層４１の上に１層のロックウール層４を設ける。このロックウール層４は、無機材であるロックウールなどによって形成される。
【００３８】
ロックウール層４は、ロックウールを立上り部３７２に押し当てるとともに庇部３７３の下側に収容することによって形成される。また、ここでは１層でロックウール層４を形成したが、これに限定されるものではなく、複数層とすることもできる。
【００３９】
上述してきたように支持金具３の固定片部３４と見切縁部３５は、下部金具３１に設けられる。また、防火材設置部３７は、上部金具３２に設けられる。そして、軒天材取付部３６は、下部金具３１と上部金具３２との間に設けられる。
【００４０】
以上のようにしてロックウール層４が組み込まれた支持金具３は、図３に示すように外壁１１の上端面に被せるように載せられる。そして、支持金具３の上方からドリルねじ３８をねじ込み、外壁１１の枠材１１１に定着させる。この結果、支持金具３が外壁１１の上端面に接合されたことになる。
【００４１】
次に、実施例１の軒天材の支持金具３、並びにそれを使用した防火構造及び建物１の作用について説明する。
【００４２】
このように構成された実施例１の軒天材２１の支持金具３は、軒天材２１の軒元側端部２１ａを挿し込む軒天材取付部３６を有するとともに、層状のロックウール層４を配置することが可能な防火材設置部３７を備えている。
【００４３】
このため、軒元側の防火性能を確保するために充分な量のロックウールなどの防火材を、容易に配置することができる。また、ロックウール層４の配置と併せて軒天材２１の取り付けも容易に行うことができるようになる。
【００４４】
すなわち支持金具３には、工場などで予めロックウール層４が組み込まれている。このため、現場で外壁１１の上端面に支持金具３を取り付けるだけで、ロックウール層４も同時に配置したことになる。
【００４５】
また、外壁１１に固定された支持金具３の軒天材取付部３６に向けて軒天材２１の軒元側端部２１ａを挿し込むだけで、軒天材２１の一端が支持されることになるので、短時間で取付作業を行うことができる。
【００４６】
特に、軒天材取付部３６の凹部に軒元側端部２１ａを挿し込む構成であれば、挿し込み量を自由に調整できるので、施工誤差などがあったとしても吸収させることができる。
【００４７】
さらに、接着層４１を介してロックウール層４を防火材設置部３７に固定させる構成であれば、ロックウール層４を支持金具３に容易に固定することができる。
【００４８】
なお、後述する他の実施例と略同様である他の構成及び作用効果については、説明を省略する。
【実施例２】
【００４９】
以下、前記した実施例１とは別の形態の実施例２について、図４，５を参照しながら説明する。なお、前記実施の形態又は実施例１で説明した内容と同一乃至均等な部分の説明については、同一用語又は同一符号を付して説明する。
【００５０】
実施例２の外壁１３は、鋼板外壁などの壁材の表面にタイルを貼り付けることによって製作される。ここで、鋼板外壁とは、石こうボードの両面を鋼板で挟んで接着剤で一体化させた壁材である。
【００５１】
図５には、実施例２の支持金具５の詳細な構成を示した。支持金具５は、下部金具５１と上部金具５２とを、リベット５３によって接合することによって形成される。下部金具５１及び上部金具５２は、鋼板などの耐火性の板材を折り曲げ加工することによって成形される。
【００５２】
この下部金具５１及び上部金具５２は、実施例１の下部金具３１及び上部金具３２と同様に長尺状に成形されている。実施例２では、外壁１３の上端面に配置された緩衝材１３１に沿って連続して配置される。この緩衝材１３１には、ブチルゴムなどのゴム発泡体などが使用できる。
【００５３】
支持金具５は、梁材１２を含めた外壁１３側の上端面に載せられて接合させる固定片部５４と、固定片部５４の軒先側の縁部から外壁１３に沿って下方に突出される見切縁部５５と、見切縁部５５に隣接して形成される軒天材取付部５６と、防火材設置部５７と、防火材設置部５７に配置されるロックウール層４とによって主に構成される。
【００５４】
固定片部５４は、図４に示すように外壁１１の上端面に貼られた緩衝材１３１と梁材１２の上端面に跨って架け渡される平板状部分を指す。固定片部５４は、ボルト５８とナット５８１によって、外壁１３側にある梁材１２の上端面に接合される。
【００５５】
一方、固定片部５４の軒先側の縁部に続いて、外壁１３の屋外面に沿って垂下された下縁に見切縁部５５が設けられる。この見切縁部５５は、下方から帯状の平面に見えるように下面が平らになるように形成される。
【００５６】
また、見切縁部５５の軒先側が、軒元側端部２１ａの形状に合わせて凹部となるように折り曲げ加工される。要するに実施例２の支持金具５では、下部金具５１のみによって軒天材取付部５６が形成される。
【００５７】
そして、見切縁部５５及び軒天材取付部５６の上方が、防火材設置部５７となる。防火材設置部５７の軒先側には、軒天材取付部５６に連続して鉛直に立ち上げられた前壁部５７１が形成される。
【００５８】
この前壁部５７１の高さは、図４に示すように上端が梁材１２の上端面の高さと同じになる位置まで少なくとも形成される。他方、前壁部５７１と略平行となるよう屋内側（軒元側）に立上り部５７２が形成される。
【００５９】
この立上り部５７２は、固定片部５４に接合される上部金具５２によって壁状に形成される。立上り部５７２は、ロックウール層４の上面よりも高く形成され、上縁からは軒先側に向けて庇部５７３が張り出される。
【００６０】
この立上り部５７２と前壁部５７１とに挟まれた中空部内には、耐火接着剤が充填されて接着層４１Ａが形成される。この接着層４１Ａの上面は、梁材１２の上端面の高さと略同じ高さの水平面になる。そして、その接着層４１Ａの上面に１層のロックウール層４を設ける。
【００６１】
このように、外壁１３が支持金具５を直接接合することができない鋼板外壁の場合でも、隣接する梁材１２の上端面に接合させることによって防火性能の高い防火構造を構築することができる。
【００６２】
なお、他の構成及び作用効果については、他の実施例と略同様であるので説明を省略する。
【実施例３】
【００６３】
以下、前記した実施例１，２とは別の形態の実施例３について、図６を参照しながら説明する。なお、前記実施の形態又は他の実施例で説明した内容と同一乃至均等な部分の説明については、同一用語又は同一符号を付して説明する。
【００６４】
実施例３の外壁１１Ａは、実施例１で説明した外壁１１と同様にタイル外壁やシンセライト外壁などの壁材である。この外壁１１Ａは、繊維混入けい酸カルシウム板が２枚重ねられている。
【００６５】
また、実施例３の支持金具３Ａは、実施例１で説明した支持金具３に類似した構成となっている。すなわち支持金具３Ａは、支持金具３と同じ下部金具３１を備えている。
【００６６】
他方、上部金具３２Ａについては、支持金具３の上部金具３２と一部異なっている。この上部金具３２Ａには、上部金具３２の前壁部３７１と立上り部３７２と庇部３７３が存在しない。
【００６７】
要するに上部金具３２Ａは、リベット３３によって下部金具３１と接合させる部分と、軒元側端部２１ａを挿し込む凹部の上半分を形成する傾斜面のみを備えている。
【００６８】
この実施例３で説明する外壁１１Ａの上端面は、図６に示すように梁材１２の上端面と略同じ高さになっている。そして、上部金具３２Ａの上面に形成される防火材設置部３７Ａには、耐火接着剤によって層状に接着層４１Ｂが形成される。
【００６９】
この接着層４１Ｂは、外壁１１Ａの枠材１１１の上方にまで広げられる。さらに、水平面に形成された接着層４１Ｂの上面には、同じ幅で１層のロックウール層４が設けられる。
【００７０】
このように上部金具３２Ａを簡略化した支持金具３Ａによって、外壁１１Ａの上端面を広く覆う防火性能の高い防火構造を構築することができる。
【００７１】
なお、他の構成及び作用効果については、他の実施例と略同様であるので説明を省略する。
【実施例４】
【００７２】
以下、前記した実施例１−３とは別の形態の実施例４について、図７を参照しながら説明する。なお、前記実施の形態又は他の実施例で説明した内容と同一乃至均等な部分の説明については、同一用語又は同一符号を付して説明する。
【００７３】
実施例４の外壁１３Ａは、実施例２で説明した外壁１３と同様の鋼板外壁である。この外壁１３Ａは、石こうボードが２枚重ねられている。また、実施例４の支持金具５Ａは、実施例２で説明した支持金具５に類似した構成となっている。
【００７４】
実施例４の支持金具５Ａは、支持金具５の下部金具５１と類似した構成の下部金具５１Ａのみで構成されており、支持金具５の上部金具５２に相当する金具は存在しない。
【００７５】
この下部金具５１Ａは、前記した支持金具５の下部金具５１とは、前壁部５７１に相当する部分がない点が異なっている。そして、この支持金具５Ａでは、下部金具５１Ａの上面側が防火材設置部５７Ａとなる。
【００７６】
下部金具５１Ａの中空部内には、耐火接着剤が充填される。この耐火接着剤は、梁材１２の上端面上まで広げられて接着層４１Ｃが形成される。そして、水平面に形成された接着層４１Ｃの上には、同じ幅で１層のロックウール層４が設けられる。
【００７７】
このように上部金具を省略した簡略化した支持金具５Ａによって、外壁１３Ａの上端面を広く覆う防火性能の高い防火構造を構築することができる。
【００７８】
なお、他の構成及び作用効果については、他の実施例と略同様であるので説明を省略する。
【実施例５】
【００７９】
以下、前記した実施例１−４とは別の形態の実施例５について、図８，９を参照しながら説明する。なお、前記実施の形態又は他の実施例で説明した内容と同一乃至均等な部分の説明については、同一用語又は同一符号を付して説明する。
【００８０】
実施例５で使用する支持金具３Ａは、実施例３で説明した支持金具３Ａと同じである。実施例３と実施例５では、防火材設置部３７Ａに配置される防火材の構成が異なっている。
【００８１】
この実施例５では、図９に示すように防火材設置部３７Ａの上面に、耐火接着剤によって形成される接着層４１Ｄを介して防火材としての石こうボード６１が設置される。
【００８２】
この石こうボード６１は、予めその上に載せる木桟６２とビス６４によって接合されている。また、木桟６２は、垂木２３，２３の間隔に合わせた長さに成形されており、垂木２３，２３間に架け渡されることになる。
【００８３】
工場などで予め一体化された支持金具３Ａと石こうボード６１と木桟６２とは、現場で外壁１１Ａの上端面にドリルねじ３８によって固定される。そして、支持金具３Ａの固定片部３４から上方に向けて壁状に延伸されるように軒元遮蔽板６３を設置する。この軒元遮蔽板６３は、例えば石こうボードによって形成することができる。
【００８４】
この軒元遮蔽板６３の軒先側の側面は、石こうボード６１の屋内側の端面に密着させる。そして、軒元遮蔽板６３と木桟６２とは、ビス６４によって接合させる。
【００８５】
このように外壁１１Ａの上端面に載せられて接合させる支持金具３Ａの固定片部３４から上方に向けて壁状の軒元遮蔽板６３を配置することによって、より防火性能を向上させることができる。
【００８６】
なお、他の構成及び作用効果については、他の実施例と略同様であるので説明を省略する。
【実施例６】
【００８７】
以下、前記した実施例１−５とは別の形態の実施例６について、図１０を参照しながら説明する。なお、前記実施の形態又は他の実施例で説明した内容と同一乃至均等な部分の説明については、同一用語又は同一符号を付して説明する。
【００８８】
この実施例６で使用する支持金具５Ａは、実施例４で説明した支持金具５Ａと同じである。また、実施例５と実施例６とでは、外壁１１Ａ，１３Ａの種類と、母屋２７，２７Ａの下方への突出量とが異なっている。
【００８９】
この実施例６では、実施例５よりも高さのある軒元遮蔽板６３Ａを配置しているので、屋内側への火炎の侵入をより確実に防ぐことができる。
【００９０】
なお、他の構成及び作用効果については、他の実施例と略同様であるので説明を省略する。
【００９１】
以上、図面を参照して、本発明の実施の形態を詳述してきたが、具体的な構成は、この実施の形態又は実施例に限らず、本発明の要旨を逸脱しない程度の設計的変更は、本発明に含まれる。
【００９２】
例えば、前記実施の形態及び実施例では、傾斜した屋根２の下面に配置される軒天材２１を例に説明したが、これに限定されるものではなく、建物から水平に張り出される庇や陸屋根の下面を軒天材で覆う場合にも本発明を適用することができる。
【符号の説明】
【００９３】
１              建物
１１，１１Ａ    外壁
１２            梁材（外壁側）
１３，１３Ａ    外壁
２１            軒天材
２１ａ          軒元側端部
３，３Ａ        支持金具
３４            固定片部
３５            見切縁部
３６            軒天材取付部
３７，３７Ａ    防火材設置部
４              ロックウール層（防火材、無機材）
４１，４１Ａ，４１Ｂ，４１Ｃ  接着層（耐火接着剤）
５，５Ａ        支持金具
５４            固定片部
５５            見切縁部
５６            軒天材取付部
５７，５７Ａ    防火材設置部
６１            石こうボード（防火材）
６３，６３Ａ    軒元遮蔽板
【図１】
2015090024.tif 000003
【図２】
2015090024.tif 000004
【図３】
2015090024.tif 000005
【図４】
2015090024.tif 000006
【図５】
2015090024.tif 000007
【図６】
2015090024.tif 000008
【図７】
2015090024.tif 000009
【図８】
2015090024.tif 000010
【図９】
2015090024.tif 000011
【図１０】
2015090024.tif 000012